(57)【要約】【課題】散髪された毛髪がカッティングクロスの前側部から客の足元に落下するのを防止する。【解決手段】Ｕ状首巻き部５を客の首部に巻いて、固定手段で離脱しないように固定して客の首部から下方に被装することにより、散髪された毛髪から客を保護するためのカッティングクロス１であって、該カッティングクロス１の客の前部を被っている前側部Ａに係止手段２、３、６を設け、前側部Ａの下部を表側に折り返した状態で該係止手段により止めることによって折重ね部を形成し、該折重ね部によって客の足元に落下する毛髪を捕集する。【選択図】図１
2004324009.tif 000002
【特許請求の範囲】
【請求項１】
Ｕ状首巻き部を客の首部に巻いて、該Ｕ状首巻き部に設けた固定手段で離脱しないように固定して客の首部から下方に被装することにより、散髪された毛髪から客を保護するためのカッティングクロスであって、該カッティングクロスの客の前部を被っている前側部には係止手段が設けてあり、前側部の下部を表側に折り返した状態で該係止手段により止めることによって折重ね部を形成し、該折重ね部によって客の足元に落下する毛髪を捕集または停留することを特徴とする理美容用カッティングクロス。
【請求項２】
Ｕ状首巻き部を客の首部に巻いて、該Ｕ状首巻き部に設けた固定手段で離脱しないように固定して客の首部から下方に被装することにより、散髪された毛髪から客を保護するためのカッティングクロスであって、該カッティングクロスの客の前部を被っている前側部には係止手段が設けてあり、客の膝部を被っている前側部を両膝に沿って上方に突出させた状態で該係止手段により止めて堰状の折重ね部を形成し、該折重ね部によって客の足元に落下する毛髪を捕集または停留することを特徴とする理美容用カッティングクロス。
【請求項３】
前記係止手段が前側部の両側に設けてあり、各係止手段は前側部の下部からＵ状首巻き部に向かって所定の距離だけ離れた位置に互いに係合できるように装着された対状の係止具からなっており、カッティングクロスの前側部を折り重ねた状態でこの対状の係止具で係止することにより、折重ね部を形成する請求項１または２に記載の理美容用カッティングクロス。
【請求項４】
前側部の裾部からＵ状首巻き部に向かって異なる位置に２組以上の係止手段が設けられている請求項１、２または３に記載の理美容用カッティングクロス。
【請求項５】
前記係止手段の裾部側の係止具の間隔をＤ、Ｕ状首巻き部側の係止具の間隔をｄとしたとき、Ｄ＞ｄである請求項１〜４のいずれか一つに記載の理美容用カッティングクロス。
【請求項６】
前記係止手段がホック、マジックテープまたはフックである請求項１〜５のいずれか一つに記載の理美容用カッティングクロス。
【請求項７】
前記Ｕ状首巻き部の固定手段としてマジックテープまたは紐の少なくとも一つが設けられている請求項１〜６のいずれか一つに記載の理美容用カッティングクロス。
【請求項８】
前記固定手段がマジックテープであり、該マジックテープはＵ状首巻き部の開口部から一定の長さの範囲に設けられており、かつ該マジックテープが設けられている領域を含むＵ状首巻き部の両側部に、マジックテープを隠蔽するためのフラップが設けられている請求項７に記載の理美容用カッティングクロス。
【発明の詳細な説明】
【０００１】
【発明の属する技術分野】
本発明は、理容師が理髪または美容において散髪するときに使用する理美容用カッティングクロスに関する。
【０００２】
【従来の技術】
理容師が理髪または美容において散髪するときには、散髪された毛髪（以下、単に毛髪ということもある）が客の体や衣服に付着するのを防ぐために、カッティングクロスを客の肩部から下方に被装している。従来の一般的に使用されているカッティングクロスは、そのほとんどがＵ状首巻き部を有する一枚のマント状の布からなり、このＵ状首巻き部を理容用椅子に座っている客の首部に巻いて、客を被うように形成されている。これにより、カッティングクロス上に毛髪が飛散または散在しても、毛髪が首部から内部に入ったり、衣服に付着するのを防止できる。
【０００３】
この場合、Ｕ状首巻き部にはマジックテープ（登録商標）または紐が設けられており、首部に巻いたＵ状首巻き部をこれらのマジックテープまたは紐で固定する。特に、マジックテープは、この固定が極めて簡便にできることから、Ｕ状首巻き部の好ましい固定手段の一つとして定着し広く採用されている。
【０００４】
このようなカッティングクロスは、理容業界において長年に渡り使用されているもので、大きさや細かいデザインに若干の違いがあっても基本形体はいずれも同じである。カッティングクロスの布地としては、軽量で適度の通気性を持っており、かつ毛髪が付着し難くいものが好ましく、通常はポリエステル繊維製のものが使われている。
【０００５】
【発明が解決しようとする課題】
従来の理容用カッティングクロスにおいて、散髪された毛髪は客の後側と両側においては床上に落下するので問題ない。しかし、前側に落下した毛髪は一時的には客の膝上のカッティングクロスに留まっているが、散髪中にその一部が前傾斜しているカッティングクロスの前側部から客の足元に向かって落ちることがある。このとき足部までカッティングクロスで被われていないために、毛髪が客の靴の上に落ちたり、あるいは靴の内部に入って靴下に付着するという問題があった。特に、散髪中に客が何かの拍子に身動きするとき、あるいは散髪しながら新聞や雑誌を読むために体を動かすとき、カッティングクロスに振動や変動が生じるため、それまで膝上に留まっていた毛髪が落ちやすくなる。
【０００６】
また、出張して理容するようなときには、理容店において行う場合に比べて設備的にも充分でないため、毛髪が脚の足元に落ちることは、その除去作業に時間を要するばかりでなく、毛髪の散在領域が拡大して清掃負担が増えるという問題があった。
【０００７】
さらにまた、Ｕ状首巻き部の固定手段としてマジックテープを使用する場合には、毛髪がマジックテープに付着しやすく、更に不都合なことは付着した毛髪が取り除き難いために、その除去作業が難儀しこれを完全に除去することは至難とされている。そのため、次の客の首部にカッティングクロスのＵ状首巻き部を巻き付けるとき、この取り残しの毛髪が付着することがあった。
【０００８】
本発明は、上記課題に鑑みてなされたもので、客の前方の前側部上に散在する毛髪が、客の足元に落下するのを防止できる理美容用カッティングクロスを提供することを目的とする。
【０００９】
【課題を解決するための手段】
本発明は、前記課題を解決して目的を達成するためになされたもので、カッティングクロスの前側部に折重ね部を形成し、この折重ね部によって客の前方の前側部上に散在する毛髪が客の足元に落下するのを防止できる理美容用カッティングクロスを提供するもので、次の特徴を有している。
【００１０】
本発明は、Ｕ状首巻き部を客の首部に巻いて、該Ｕ状首巻き部に設けた固定手段で離脱しないように固定して客の首部から下方に被装することにより、散髪された毛髪から客を保護するためのカッティングクロスであって、該カッティングクロスの客の前部を被っている前側部には係止手段が設けてあり、前側部の下部を表側に折り返した状態で該係止手段により止めることによって折重ね部を形成し、該折重ね部によって客の足元に落下する毛髪を捕集または停留することを特徴とする。
【００１１】
また、本発明は、前記係止手段がカッティングクロスの前側部の両側に設けてあり、各係止手段は前側部の下部からＵ状首巻き部に向かって所定の距離だけ離れた位置に互いに係合できるように装着された対状の係止具からなっており、カッティングクロスの前側部を折り重ねた状態でこの対状の係止具で係止することにより、折重ね部を形成することを特徴とする。
【００１２】
さらに、本発明は前記Ｕ状首巻き部の固定手段としてマジックテープを設け、かつ該マジックテープが設けられている領域を含むＵ状首巻き部の両側部にフラップを設けてマジックテープを隠蔽し、マジックテープに毛髪が付着するのを防止することを特徴とする。
【００１３】
【発明の実施の形態】
本発明においてカッティングクロスは、散髪された毛髪が理容客（以下、客とする）の体や衣服に付着しないように理容時の客に着用する職業用の保護衣であるので、このカッティングクロスの基本形体は理容分野において使用されているものと実質同一である。その形体は散髪の作業に支障とならないで、客に毛髪が付着しないように客を充分に被うことができるものが理想的であり、展開したときの形状はＵ状首巻き部を中心にして左右対称になっている。そして、展開したときの形状としては、使い勝手の点でほぼ矩形状のものが一般に使用されているが、円形状または扇形状などであってもよい。
【００１４】
また、前記Ｕ状首巻き部は客の首部に巻く部分で、通常はカッティングクロスの後側部を凹状に切り込んで形成することができ、首部を通すことができる開口部を有している。このＵ状首巻き部には、首部に巻いた状態でカッティングクロスを固定するための固定手段として、マジックテープもしくは紐またはこれらの両方が設けられている。理容用椅子に座っている客の前方から、このＵ状首巻き部を両側から首に巻き、この状態で固定手段で固定することにより、客の首部から下方をこのカッティングクロスで被うことが、つまり被装することができる。同時に首部の周りがこのＵ状首巻き部により密着した状態に塞がられるので、散髪された毛髪が首部から内部に入らないようにできる。
【００１５】
理容用カッティングクロスは、客の前側を被う前側部と後側を被う後側部とに便宜的に分けることができる。これらの部分は明確に区画されるものでないが、前側部は客に着用したときに、客の胸部、腹部および脚部などの前側部分を被う部分であり、後側部は客の肩から背部を被っている部分で、前記Ｕ状首巻き部はこの後側部に形成されている。
【００１６】
本発明は、このカッティングクロスの前側部に係止手段を設けて、前側部の下部を表側に折返した状態で、あるいは膝部を被っている前側部を上方に突出させた状態で、この係止手段で止めることにより前側部に折重ね部もしくはスナップ（以下、折重ね部とする）を形成し、前側部から足元に向かって落下する毛髪をこの折重ね部で捕集することを特徴とする。この係止手段としては、係止を解くことにより折重ね部を簡便に元に戻すことができる、つまり係止の着脱が自在にできる、例えばホック、マジックテープまたはフックなどが使用できる。これらの中でホックは係止の着脱が比較的容易である点で優れている。マジックテープは毛髪が付着しやすい点を除けば、係止の着脱はホックと同様に容易にできる。
【００１７】
本発明において前側部に形成する折重ね部は、前記したように毛髪がカッティングクロスの前側部から足元に落ちるのを防止するためのものであるので、理容椅子に座っている客の少なくとも前部に、更に具体的には客のほぼ脛部の前部に形成するのが好ましい。この部分であれば、膝に近い比較的高い位置であっても、あるいは踝に近い位置であっても目的を達成できるが、できるだけ踝に近い位置が好ましい。さらに、前側部を表側に折り返して折重ね部を形成する場合には、折重ね部の上部が開口するように、または折り返し部の先部を下側に逆折して、かつ布のはりとこしを利用して、この逆折り部が緩やかに湾曲するように形成すると、毛髪が捕集しやすくなる。
【００１８】
前側部を折り返してまたは折り重ねて形成される折重ね部の形体は、前側部をどこで係止するかによって影響を受ける。客の脚部を被っている前側部の脛の両側部分は、この係止手段を設ける位置として適している。脛の前部を被っている前側部の下部を表側に折り曲げて、この折り曲げ部を脛の両側部分で係止すると、脛の前部に上部が開口している折重ね部を形成できる。係止手段で止めた箇所は布同志が密着し上部が開口しないので、係止手段の数を必要以上に増やすことは得策でない。通常は脛の両側において二個所係止すれば充分である。しかし、必要あれば係止する箇所の数を増やしてもよい。
【００１９】
本発明においてカッティングクロスは、連続する一枚の布地あるいは継ぎ合せた複数枚の布から作製できるが、簡単に作れるのは一枚の布を展開形状に合わせて切断して作製する方法である。使用する布は、軽量で溌水性、通気性を有し、折り畳んだときにしわが生じないように布地に適度のはりとこしがあるものが好ましい。その材質としては、従来から使用されている例えばポリエステル、アクリル、ポリアミド繊維などの合成繊維が好ましく使用でき、中でもポリエステル繊維の布は長年の実績があり適している。
【００２０】
次に、本発明の好ましい実施形態を図面に従って詳細に説明する。図１は本発明の好ましい実施態様に係わるカッティングクロス１を展開したときの平面図を示し、図２は図１のカッティングクロス１の主に後側部における部分平面部で、その一部を切り欠いて示してある。本例のカッティングクロス１は、図示するように実質的に前側部を形成している布ＡとＵ状首巻き部５の両側に後側部を形成している２枚の布Ｂ、Ｃとを継ぎ合わせてほぼ矩形状に形成されている。これら布Ａ、ＢおよびＣは、例えばポリエステル繊維１００％から作られており、１２はその継ぎ目である。
【００２１】
前記Ｕ状首巻き部５には首部に通すための開口部９が設けられており、さらにこのＵ状首巻き部５の開口部９の両側には固定手段としてマジックテープが設けられている。すなわち、図２に示すようにＵ状首巻き部５の開口部９の両側には、マジックテープ８ａおよび８ｂが、開口部９から一定の長さの範囲に設けられている。本例のＵ状首巻き部５では、図２において左側に雌マジックテープ８ａ、右側に雄マジックテープ８ｂをそれぞれ設けて、左側を右側の上に重ねた状態でマジックテープ８ａと８ｂを係合させて固定する。
【００２２】
本例では首部の太さによりＵ状首巻き部５の固定位置を調整できるように、雄マジックテープ８ｂの長さは雌マジックテープ８ａより長くなっている。マジックテープ８ａおよび８ｂは、Ｕ状首巻き部５の開口部９の側から例えば雌マジックテープ８ａは約１０ｃｍ、雄マジックテープ８ｂは約２０ｃｍの長さで設けられている。また、マジックテープの幅としては、通常１．５〜２ｃｍ程度のものが好ましい。
【００２３】
本例におけるマジックテープでは、雌雄がこのように従来のカッティングクロスとは逆になっている。従来のようにＵ状首巻き部５の裏側が雄マジックテープ８ｂになっていると、マジックテープでＵ状首巻き部５を固定する際に首部に巻かれているタオルの引っ張りが生じたり、また表側が雌マジックテープになっているために毛髪が付着しやすい。これに対し、本例では雌雄が逆になっているため、このような問題はほとんど生じない。特にマジックテープへの毛髪の付着は、次に述べるフラップ４によりほぼ完全に防ぐことができる。
【００２４】
さらに、Ｕ状首巻き部５に設けたマジックテープには、前記したように毛髪が付着しやすく、しかも一旦付着した毛髪が非常に取り除き難いという問題がある。このため、本例のカッティングクロスではこのＵ状首巻き部５の少なくともマジックテープが設けられている領域に、マジックテープに毛髪が付着するのを防ぐためのフラップ４が設けられている。この場合、上側となる雌マジックテープ８ａ側のフラップ４は、Ｕ状首巻き部５の外側に設けるが、雄マジックテープ８ｂ側のフラップ４は、雄マジックテープ８ｂがフラップ４で隠蔽されるように設けられている。これにより、雌マジックテープ８ａと雄マジックテープ８ｂを係合させて固定した状態では、両マジックテープとも雄マジックテープ８ｂ側のフラップ４により隠蔽され、外に露出していないので、散髪作業中やカッティングクロスの取外し時に毛髪がマジックテープに付着しない。
【００２５】
本例において前側部Ａには、毛髪を捕集または停留するための折重ね部を形成する際に、前側部Ａを止める係止手段として例えば２組のホック２と３、およびホック３と６が図１に示すように前側部Ａの両側に設けられている。ホック２と３、およびホック３と６は、折重ね部を形成するとき係止具として機能するために、それぞれ前側部Ａの裾部とＵ状首巻き部５との間に所定の間隔をおいて設けられており、かつ雌雄の対をなしており相互に嵌合する。すなわち、例えばホック２と６は雄ホック、ホック３は雌ホックになっており、前側部Ａの下部を表側に折り返してホック３をホック２に矢印に従って嵌合させると、前側部Ａの下部がこの状態で係止されるので、前側部Ａに折重ね部を形成できる。同様に前側部Ａの下部を折り返して、ホック６をホック３に嵌合させると、前側部Ａの裾部に折重ね部を形成できる。
【００２６】
このように一つの前側部Ａに２組の係止手段を設けると、折重ね部を形成する位置（高さ）を例えば大人と子供、あるいは身長の大小により調整できる利点が得られるので好ましい。図４および図５は、２組の係止手段を使い分けて理容椅子１５に着座した客に対し、折重ね部１３の位置を変えて形成した場合を例示したものである。図４はホック６とホック３を嵌合させて、折重ね部１３を前側部Ａの比較的高い位置に形成した例で、子供に対してはこの高さで折重ね部１３を子供のほぼ足元に形成できる。一方、図５はホック３とホック２を嵌合させることにより折重ね部１３を前側部Ａの下部に形成して、大人の足元に合わせることができる。
【００２７】
なお、係止手段は通常は１組または２組で充分であるが、係止手段の数を更に増して細かく設けると、折重ね部の位置の調整幅を更に拡大したり細かくできる。また、本発明においては、前側部Ａに折重ね部を形成するので、前側部Ａの長さ寸法を通常のカッティングクロスの前側部より折重ね部を形成する分だけ長くするのが好ましい。
【００２８】
さらに、係止手段がホック３とホック２のように、両者の間隔が比較的大きい場合には、図１に示すように前側部Ａの裾部側のホック３の間隔Ｄに対して、Ｕ状首巻き部５側のホック２の間隔ｄを、Ｄ＞ｄにするのが好ましい。Ｄ＞ｄにすることにより、折重ね部の係止位置の幅を狭めることができるので、特に子供に対して好ましい折重ね部を形成できる。また、折重ね部の外側の布に余裕が得られるので、折重ね部の上部にできる開口部の大きさが拡大し毛髪を捕集しやすくなる。
【００２９】
なお、図１において１０はカッティングクロス１の裏側に設けた雌雄のホックである。カッティングクロス１を客に被装した状態で、これらのホックを必要に応じて客の腕の下方において止めることにより、袖状部を簡易に形成することができる。これにより、腕が動きやすくなるので、客が散髪しながら本や雑誌などを読むのに好都合となる。また、７ａおよび７ｂはそれぞれ雄マジックテープと雌マジックテープで、客の首部にＵ状首巻き部５を巻いて固定した後、カッティングクロスの後部を止めるのに役立つ。カッティングクロスの後部を長めに設けてこのマジックテープ７ａおよび７ｂで止めておくことにより、客が少々前に動いても背部をカッティングクロスで被うことができ、これにより毛髪が背中に入るのを防ぐことができる。この場合、雄マジックテープ７ａを長く設けておくと、いろいろの体格の客に対応できるとともに、出張理容時にどのような椅子であっても対応できるので好ましい。
【００３０】
図３は本発明の他の実施態様を示すもので、本例はＵ状首巻き部５の固定手段としてマジックテープ８ａおよび８ｂと紐１１とを併用する例である。すなわち、雌マジックテープ８ａはＵ状首巻き部５の裏側に、雄マジックテープ８ｂはＵ状首巻き部５の表側に設けて、雌マジックテープ８ａを雄マジックテープ８ｂの上に重ねて係合させＵ状首巻き部５を固定することは前記の通りである。なお、雌マジックテープ８ａを雄マジックテープ８ｂの上に重ねる際には、作業をしやすくするために、フラップ４は図３に示す如く起こした状態にしておく。
【００３１】
一方、紐１１は雌マジックテープ８ａの始端と雄マジックテープ８ｂの終端にそれぞれ設けられている。Ｕ状首巻き部５に二つの固定手段を設けておくことにより、状況に応じてこれらの何れかを適宜選択して使用できるほか、必要に応じて併用することもできる。さらに、一方の固定手段が使えなくなっても、他方の固定手段がスペアとして使用できるので、カッティングクロスを長期間にわたって使用できる利点も得られる。もちろん、固定手段として紐１１だけを設けることもできる。
【００３２】
本発明において図１のように係止手段を前側部Ａの表側に設けて、前側部Ａの下部を表側に折り返して折重ね部１３（図４参照）を形成する方法は、作業のしやすさと毛髪の捕集や停留が確実に得られる点で優れている。しかし、図示しないが係止手段を膝部分を被っている前側部の裏側に設け、この係止手段を設けた部分の前側部を図６に例示するように両膝に沿って上方に突出させ、この状態で突出部の下部を裏側に設けた係止手段で係止することにより、堰状の折重ね部１３を形成してもよい。前側部上に散在または飛散している毛髪１４をこの折重ね部１３によって停留させることができるので、同様な効果が得られる。
【００３３】
【発明の効果】
本発明は、以上説明したようにカッティングクロスの前側部に係止手段を設け、この前側部の下部を表側に折り返した状態で、あるいは客の膝部を被っている前側部を両膝に沿って上方に突出させた状態で、前記係止手段により止めることにより、カッティングクロスの前側部に折重ね部を形成できるので、前側部から客の足元に落下する毛髪をこの折重ね部で捕集できる。その結果、毛髪が客の靴や靴下に付着するのを防ぐことができる。しかも、この係止手段の係止の着脱は容易にできるので、散髪時にカッティングクロスを客に着用して折重ね部を形成するのも、散髪後に係止を外してカッティングクロスを清浄にするのも簡便にできる。
【００３４】
また、本発明はＵ状首巻き部にマジックテープが設けられているカッティングクロスにおいて、該Ｕ状首巻き部にマジックテープを隠蔽するためのフラップを設けているので、散髪中あるいはカッティングクロスの取り外し時に毛髪がマジックテープに付着するのを防止できる。
【００３５】
このように本発明のカッティングクロスは、毛髪が靴に付着したり、あるいは靴の中に入って靴下に付着するのを防止でき、さらにＵ状首巻き部のマジックテープに毛髪が付着しないので、理容用の保護衣として優れており実用効果が優れている。
【図面の簡単な説明】
【図１】本発明の好ましい実施形態に係わるカッティングクロスの展開時の平面図。
【図２】図１のカッティングクロスの後側部分における部分平面図。
【図３】本発明の他の実施形態におけるカッティングクロスのＵ状首巻き部の部分平面図。
【図４】図１のカッティングクロスの使用形態を示す側面図。
【図５】図１のカッティングクロスの使用形態を示す側面図。
【図６】本発明の他の実施形態に係わるカッティングクロスの使用形態を示す側面図。
【符号の説明】
１：カッティングクロス
２、３、６：ホック
４：フラップ
５：Ｕ状首巻き部
７ａ、７ｂ：マジックテープ
８ａ、８ｂ：マジックテープ
９：開口部
１１：紐
１３：折重ね部
１４：毛髪
【図１】
2004324009.tif 000003
【図２】
2004324009.tif 000004
【図３】
2004324009.tif 000005
【図４】
2004324009.tif 000006
【図５】
2004324009.tif 000007
【図６】
2004324009.tif 000008